(57)【要約】【課題】中間電線の影響を排除すること。【解決手段】フィルタ回路１０と併走させた第１及び第２の電線ＷＥ１，ＷＥ２とを電線の軸線方向に対する直交方向で積層配置し、フィルタ回路の第１回路接続部材１２は、直交方向で第１電線に対して間を空けて並べて配置され、かつ、フィルタ回路のノイズ低減素子１１の第１接続部に対して接続される第１素子側接続体１２ａと、直交方向で第１電線の中間接続部ＷＥａ１に対して間接的又は直接的に電気接続される第１電線側接続体１２ｂと、が軸線方向に並べて設けられたものであり、フィルタ回路の第２回路接続部材１３は、直交方向で第２電線に対して間を空けて並べて配置され、かつ、ノイズ低減素子の第２接続部に対して接続される第２素子側接続体１３ａと、直交方向で第２電線の中間接続部ＷＥａ２に対して間接的又は直接的に電気接続される第２電線側接続体１３ｂと、が軸線方向に並べて設けられたものであること。【選択図】図３
2020061626.tif 000002
【特許請求の範囲】
【請求項１】
ノイズ成分を低減させるノイズ低減素子、併走させた第１電線及び第２電線の軸線方向と配列方向とに対する直交方向で前記第１電線に並べて配置され、かつ、前記ノイズ低減素子の第１接続部が電気的に接続される導電性の第１回路接続部材、並びに前記配列方向で前記第１回路接続部材に対して間を空けて並べて配置されると共に前記直交方向で前記第２電線に並べて配置され、かつ、前記ノイズ低減素子の第２接続部が電気的に接続される導電性の第２回路接続部材を備えるフィルタ回路と、
前記フィルタ回路並びに併走させた前記第１電線及び前記第２電線を収容する筐体と、
を備え、
前記第１回路接続部材は、前記直交方向で前記第１電線に対して間を空けて並べて配置され、かつ、前記ノイズ低減素子の前記第１接続部に対して物理的且つ電気的に接続される第１素子側接続体と、前記直交方向で前記第１電線の芯線の中間接続部に対して間接的又は直接的に電気接続される第１電線側接続体と、が前記軸線方向に並べて設けられたものであり、
前記第２回路接続部材は、前記直交方向で前記第２電線に対して間を空けて並べて配置され、かつ、前記ノイズ低減素子の前記第２接続部に対して物理的且つ電気的に接続される第２素子側接続体と、前記直交方向で前記第２電線の芯線の中間接続部に対して間接的又は直接的に電気接続される第２電線側接続体と、が前記軸線方向に並べて設けられたものであることを特徴としたノイズフィルタ。
【請求項２】
前記筐体は、前記ノイズ低減素子が収容される素子収容室を内方に有し、かつ、固定対象物との間で互いに係合し合う固定機構の係合体を前記直交方向に位置する外壁面から突出させて設け、
前記素子収容室と前記係合体は、前記軸線方向で並べて配置することを特徴とした請求項１に記載のノイズフィルタ。
【請求項３】
前記第１素子側接続体は、前記直交方向における前記第１電線とは逆側に前記ノイズ低減素子の前記第１接続部を物理的且つ電気的に接続させ、
前記第２素子側接続体は、前記直交方向における前記第２電線とは逆側に前記ノイズ低減素子の前記第２接続部を物理的且つ電気的に接続させることを特徴とした請求項１又は２に記載のノイズフィルタ。
【請求項４】
前記第１素子側接続体は、前記直交方向における前記第１電線側に前記ノイズ低減素子の前記第１接続部を物理的且つ電気的に接続させ、
前記第２素子側接続体は、前記直交方向における前記第２電線側に前記ノイズ低減素子の前記第２接続部を物理的且つ電気的に接続させることを特徴とした請求項１又は２に記載のノイズフィルタ。
【請求項５】
前記筐体は、前記ノイズ低減素子を収容する素子収容室を内方に設け、かつ、固定対象物との間で互いに係合し合う固定機構の係合体を前記直交方向に位置する外壁面から突出させて設け、
前記素子収容室と前記係合体は、前記軸線方向で並べて配置し、
前記第１回路接続部材は、前記係合体が設けられた前記外壁面を有する被設置壁体に設置され、かつ、前記第１電線側接続体が形成される第１設置壁体を有し、
前記第２回路接続部材は、前記被設置壁体に設置され、かつ、前記第２電線側接続体が形成される第２設置壁体を有し、
前記第１素子側接続体は、前記直交方向で前記第１設置壁体に対してオフセットさせて前記素子収容室に収容し、前記直交方向における前記第１電線側に前記ノイズ低減素子の前記第１接続部を物理的且つ電気的に接続させ、
前記第２素子側接続体は、前記直交方向で前記第２設置壁体に対してオフセットさせて前記素子収容室に収容し、前記直交方向における前記第２電線側に前記ノイズ低減素子の前記第２接続部を物理的且つ電気的に接続させることを特徴とした請求項１に記載のノイズフィルタ。
【請求項６】
第１電線及び第２電線を含む幹線と、
ノイズ成分を低減させるノイズフィルタと、
を備え、
前記ノイズフィルタは、
ノイズ成分を低減させるノイズ低減素子、併走させた前記第１電線及び前記第２電線の軸線方向と配列方向とに対する直交方向で前記第１電線に並べて配置され、かつ、前記ノイズ低減素子の第１接続部が電気的に接続される導電性の第１回路接続部材、並びに前記配列方向で前記第１回路接続部材に対して間を空けて並べて配置されると共に前記直交方向で前記第２電線に並べて配置され、かつ、前記ノイズ低減素子の第２接続部が電気的に接続される導電性の第２回路接続部材を備えるフィルタ回路と、
前記フィルタ回路並びに併走させた前記第１電線及び前記第２電線を収容する筐体と、
を備え、
前記第１回路接続部材は、前記直交方向で前記第１電線に対して間を空けて並べて配置され、かつ、前記ノイズ低減素子の前記第１接続部に対して物理的且つ電気的に接続される第１素子側接続体と、前記直交方向で前記第１電線の芯線の中間接続部に対して間接的又は直接的に電気接続される第１電線側接続体と、が前記軸線方向に並べて設けられたものであり、
前記第２回路接続部材は、前記直交方向で前記第２電線に対して間を空けて並べて配置され、かつ、前記ノイズ低減素子の前記第２接続部に対して物理的且つ電気的に接続される第２素子側接続体と、前記直交方向で前記第２電線の芯線の中間接続部に対して間接的又は直接的に電気接続される第２電線側接続体と、が前記軸線方向に並べて設けられたものであることを特徴としたワイヤハーネス。
【発明の詳細な説明】
【技術分野】
【０００１】
本発明は、ノイズフィルタ及びワイヤハーネスに関する。
【背景技術】
【０００２】
従来、電線に乗った電気的なノイズを低減させるべく、そのノイズ低減対象電線にノイズフィルタを介装させる、という技術が知られている。そのノイズフィルタは、コンデンサ等のノイズ低減素子が設けられたフィルタ回路を備えており、そのフィルタ回路をノイズ低減対象電線とアース端子との間に介在させている。この種のノイズフィルタについては、例えば、下記の特許文献１及び２に開示されている。
【先行技術文献】
【特許文献】
【０００３】
【特許文献１】特開２００６−１０００６１号公報
【特許文献２】特開２０１２−０３９２０１号公報
【発明の概要】
【発明が解決しようとする課題】
【０００４】
ところで、従来のノイズフィルタは、ノイズ低減対象電線とフィルタ回路との間を別の中間電線で繋いでいる。例えば、上記特許文献１のノイズフィルタは、幹線のノイズ低減対象電線から分岐させた２本の分岐電線に対してフィルタ回路を電気的に接続して、そのノイズ低減対象電線に乗っているノイズ成分を低減させている。このため、従来のノイズフィルタは、その分岐電線などのような中間電線に乗ってしまうノイズ成分をも考慮に入れて、フィルタ回路特性（共振点やノイズ低減性能等）の調整を行う必要がある。
【０００５】
そこで、本発明は、中間電線の影響を受けることのないノイズフィルタ及びワイヤハーネスを提供することを、その目的とする。
【課題を解決するための手段】
【０００６】
上記目的を達成する為、本発明に係るノイズフィルタは、ノイズ成分を低減させるノイズ低減素子、併走させた第１電線及び第２電線の軸線方向と配列方向とに対する直交方向で前記第１電線に並べて配置され、かつ、前記ノイズ低減素子の第１接続部が電気的に接続される導電性の第１回路接続部材、並びに前記配列方向で前記第１回路接続部材に対して間を空けて並べて配置されると共に前記直交方向で前記第２電線に並べて配置され、かつ、前記ノイズ低減素子の第２接続部が電気的に接続される導電性の第２回路接続部材を備えるフィルタ回路と、前記フィルタ回路並びに併走させた前記第１電線及び前記第２電線を収容する筐体と、を備え、前記第１回路接続部材は、前記直交方向で前記第１電線に対して間を空けて並べて配置され、かつ、前記ノイズ低減素子の前記第１接続部に対して物理的且つ電気的に接続される第１素子側接続体と、前記直交方向で前記第１電線の芯線の中間接続部に対して間接的又は直接的に電気接続される第１電線側接続体と、が前記軸線方向に並べて設けられたものであり、前記第２回路接続部材は、前記直交方向で前記第２電線に対して間を空けて並べて配置され、かつ、前記ノイズ低減素子の前記第２接続部に対して物理的且つ電気的に接続される第２素子側接続体と、前記直交方向で前記第２電線の芯線の中間接続部に対して間接的又は直接的に電気接続される第２電線側接続体と、が前記軸線方向に並べて設けられたものであることを特徴としている。
【０００７】
ここで、前記筐体は、前記ノイズ低減素子が収容される素子収容室を内方に有し、かつ、固定対象物との間で互いに係合し合う固定機構の係合体を前記直交方向に位置する外壁面から突出させて設け、前記素子収容室と前記係合体は、前記軸線方向で並べて配置することが望ましい。
【０００８】
また、前記第１素子側接続体は、前記直交方向における前記第１電線とは逆側に前記ノイズ低減素子の前記第１接続部を物理的且つ電気的に接続させ、前記第２素子側接続体は、前記直交方向における前記第２電線とは逆側に前記ノイズ低減素子の前記第２接続部を物理的且つ電気的に接続させることが望ましい。
【０００９】
また、前記第１素子側接続体は、前記直交方向における前記第１電線側に前記ノイズ低減素子の前記第１接続部を物理的且つ電気的に接続させ、前記第２素子側接続体は、前記直交方向における前記第２電線側に前記ノイズ低減素子の前記第２接続部を物理的且つ電気的に接続させることが望ましい。
【００１０】
また、前記筐体は、前記ノイズ低減素子を収容する素子収容室を内方に設け、かつ、固定対象物との間で互いに係合し合う固定機構の係合体を前記直交方向に位置する外壁面から突出させて設け、前記素子収容室と前記係合体は、前記軸線方向で並べて配置し、前記第１回路接続部材は、前記係合体が設けられた前記外壁面を有する被設置壁体に設置され、かつ、前記第１電線側接続体が形成される第１設置壁体を有し、前記第２回路接続部材は、前記被設置壁体に設置され、かつ、前記第２電線側接続体が形成される第２設置壁体を有し、前記第１素子側接続体は、前記直交方向で前記第１設置壁体に対してオフセットさせて前記素子収容室に収容し、前記直交方向における前記第１電線側に前記ノイズ低減素子の前記第１接続部を物理的且つ電気的に接続させ、前記第２素子側接続体は、前記直交方向で前記第２設置壁体に対してオフセットさせて前記素子収容室に収容し、前記直交方向における前記第２電線側に前記ノイズ低減素子の前記第２接続部を物理的且つ電気的に接続させることが望ましい。
【００１１】
また、上記目的を達成する為、本発明に係るワイヤハーネスは、第１電線及び第２電線を含む幹線と、ノイズ成分を低減させるノイズフィルタと、を備え、前記ノイズフィルタは、ノイズ成分を低減させるノイズ低減素子、併走させた前記第１電線及び前記第２電線の軸線方向と配列方向とに対する直交方向で前記第１電線に並べて配置され、かつ、前記ノイズ低減素子の第１接続部が電気的に接続される導電性の第１回路接続部材、並びに前記配列方向で前記第１回路接続部材に対して間を空けて並べて配置されると共に前記直交方向で前記第２電線に並べて配置され、かつ、前記ノイズ低減素子の第２接続部が電気的に接続される導電性の第２回路接続部材を備えるフィルタ回路と、前記フィルタ回路並びに併走させた前記第１電線及び前記第２電線を収容する筐体と、を備え、前記第１回路接続部材は、前記直交方向で前記第１電線に対して間を空けて並べて配置され、かつ、前記ノイズ低減素子の前記第１接続部に対して物理的且つ電気的に接続される第１素子側接続体と、前記直交方向で前記第１電線の芯線の中間接続部に対して間接的又は直接的に電気接続される第１電線側接続体と、が前記軸線方向に並べて設けられたものであり、前記第２回路接続部材は、前記直交方向で前記第２電線に対して間を空けて並べて配置され、かつ、前記ノイズ低減素子の前記第２接続部に対して物理的且つ電気的に接続される第２素子側接続体と、前記直交方向で前記第２電線の芯線の中間接続部に対して間接的又は直接的に電気接続される第２電線側接続体と、が前記軸線方向に並べて設けられたものであることを特徴としている。
【発明の効果】
【００１２】
本発明に係るノイズフィルタにおいては、第１電線の中間接続部と第２電線の中間接続部との間にフィルタ回路を電気的に介在させることで、そのフィルタ回路をそれぞれの中間接続部に対して電気的に接続している。例えば、その第１電線と第２電線は、ワイヤハーネスの幹線に束ねられている。よって、このノイズフィルタは、従来のような幹線からの分岐電線（中間電線）の影響を考慮に入れたフィルタ回路特性の調整が不要になる。つまり、本発明に係るノイズフィルタは、中間電線の影響を受けることのないものとなっている。更に、本発明に係るノイズフィルタにおいては、併走させた第１電線及び第２電線とフィルタ回路とが積層方向で並べて配置されるので、第１電線及び第２電線の配列方向の間隔並びに第１回路接続部材と第２回路接続部材の配列方向の間隔を狭めることができる。よって、本発明に係るノイズフィルタは、その配列方向の体格の小型化を図ることができる。また、本発明に係るワイヤハーネスは、そのようなノイズフィルタを具備するものであり、このノイズフィルタが得られる効果を奏することができる。
【図面の簡単な説明】
【００１３】
【図１】図１は、実施形態のノイズフィルタ及びワイヤハーネスを示す斜視図である。
【図２】図２は、実施形態のノイズフィルタ及びワイヤハーネスを別角度から見た斜視図である。
【図３】図３は、実施形態のノイズフィルタ及びワイヤハーネスを示す分解斜視図である。
【図４】図４は、実施形態のノイズフィルタ及びワイヤハーネスを別角度から見た分解斜視図である。
【図５】図５は、図１のＸ１−Ｘ１線断面とＸ２−Ｘ２線断面とを示す断面図である。
【図６】図６は、実施形態のノイズフィルタ及びワイヤハーネスの組付け工程の一部を示す断面図である。
【図７】図７は、フィルタ回路を示す斜視図である。
【図８】図８は、収容箱を示す斜視図である。
【図９】図９は、カバーを示す斜視図である。
【図１０】図１０は、変形例のノイズフィルタ及びワイヤハーネスを示す斜視図である。
【図１１】図１１は、変形例のノイズフィルタ及びワイヤハーネスを示す分解斜視図である。
【図１２】図１２は、変形例のノイズフィルタ及びワイヤハーネスを別角度から見た分解斜視図である。
【図１３】図１３は、図１０のＸ１−Ｘ１線断面とＸ２−Ｘ２線断面とを示す断面図である。
【図１４】図１４は、変形例のノイズフィルタ及びワイヤハーネスの組付け工程の一部を示す断面図である。
【図１５】図１５は、変形例のフィルタ回路を示す斜視図である。
【発明を実施するための形態】
【００１４】
以下に、本発明に係るノイズフィルタ及びワイヤハーネスの実施形態を図面に基づいて詳細に説明する。尚、この実施形態によりこの発明が限定されるものではない。
【００１５】
［実施形態］
本発明に係るノイズフィルタ及びワイヤハーネスの実施形態の１つを図１から図９に基づいて説明する。
【００１６】
図１から図６の符号１は、本実施形態のノイズフィルタを示す。このノイズフィルタ１は、２本の電線（第１電線ＷＥ１、第２電線ＷＥ２）の中間部分同士をフィルタ回路で繋いだノイズ低減装置であり、２本の電線の内の一方を接地させ、その内の他方に乗った電気的なノイズ成分をフィルタ回路で低減させる。その２本の電線は、例えば、車両のワイヤハーネスＷＨの幹線ＷＴが備える複数本の電線の内の２本であって、一方の電線がアース線として接地され、他方の電線が電源線として利用される。その電源線には、例えば、デフォッガやハイマウントストップランプ等の負荷が電気的に接続されている。ノイズフィルタ１は、その２本の電線に接続することによって、ワイヤハーネスＷＨの構成要素の１つとなる。以下に例示するワイヤハーネスＷＨにおいては、第１電線ＷＥ１を電源線として利用し、第２電線ＷＥ２をアース線として利用する。第１電線ＷＥ１は、一方の端部が電源（例えば、車両の二次電池）に対して電気的に接続され、他方の端部が負荷に対して電気的に接続されている。また、第２電線ＷＥ２は、一方の端部が接地されている。第１電線ＷＥ１と第２電線ＷＥ２は、各々、導電性の芯線ＷＥａと、この芯線ＷＥａの外周面を覆う絶縁性の被覆ＷＥｂと、を備える。
【００１７】
ノイズフィルタ１は、ノイズ成分を低減させるフィルタ回路１０を備えるノイズ低減装置であり（図１から図６）、例えば、第１電線ＷＥ１に乗った電気的なノイズ成分をフィルタ回路１０で低減させる。更に、このノイズフィルタ１は、そのフィルタ回路１０を収容する筐体２０を備えている（図１から図６）。このノイズフィルタ１においては、その筐体２０の収容室２０ａに並列配置状態で第１電線ＷＥ１と第２電線ＷＥ２とを収容して、その収容室２０ａの中で第１電線ＷＥ１と第２電線ＷＥ２とを併走させる。ここでは、下記の第１電線ＷＥ１の中間接続部ＷＥａ１と第２電線ＷＥ２の中間接続部ＷＥａ２とが収容室２０ａに収容され、第１電線ＷＥ１と第２電線ＷＥ２のそれぞれの両端側が筐体２０の外方に引き出される。
【００１８】
フィルタ回路１０は、第１電線ＷＥ１の中間部分に位置している芯線ＷＥａの一部分と第２電線ＷＥ２の中間部分に位置している芯線ＷＥａの一部分との間に電気的に介在させる。以下においては、その第１電線ＷＥ１の中間部分に位置している芯線ＷＥａの一部分を「中間接続部ＷＥａ１」と称し、かつ、第２電線ＷＥ２の中間部分に位置している芯線ＷＥａの一部分を「中間接続部ＷＥａ２」と称する。また、以下においては、その第１電線ＷＥ１の芯線ＷＥａの中間接続部ＷＥａ１のことを「第１電線ＷＥ１の中間接続部ＷＥａ１」と簡略化し、かつ、その第２電線ＷＥ２の芯線ＷＥａの中間接続部ＷＥａ２のことを「第２電線ＷＥ２の中間接続部ＷＥａ２」と簡略化する。つまり、このフィルタ回路１０は、第１電線ＷＥ１の中間接続部ＷＥａ１と第２電線ＷＥ２の中間接続部ＷＥａ２との間に電気的に介在させるものであり、それぞれの中間接続部ＷＥａ１，ＷＥａ２に対して電気的に接続させる（図２）。
【００１９】
フィルタ回路１０は、ノイズ成分を低減させる少なくとも１つのノイズ低減素子１１と、このノイズ低減素子１１の第１接続部（以下、「第１素子接続体」という。）が電気的に接続される導電性の第１接続部材（以下、「第１回路接続部材」という。）１２と、そのノイズ低減素子１１の第２接続部（以下、「第２素子接続体」という。）が電気的に接続される導電性の第２接続部材（以下、「第２回路接続部材」という。）１３と、を備える（図２から図７）。尚、第１素子接続体と第２素子接続体については、図示を省略している。
【００２０】
ノイズ低減素子１１は、このノイズフィルタ１の回路構成でノイズの低減を図り得るものであれば、如何様なものを用いてもよい。例えば、ノイズ低減素子１１としては、コンデンサやコイル等が考えられる。このフィルタ回路１０では、ノイズ低減素子１１として２つのコンデンサを備えており、この２つのコンデンサでノイズの低減を図ることができるように構成する（図２から図７）。
【００２１】
この例示のフィルタ回路１０においては、２つのノイズ低減素子１１が絶縁性のモールド体１４で覆われている（図２から図７）。そのモールド体１４は、２つのノイズ低減素子１１と第１回路接続部材１２の第１素子側接続体１２ａと第２回路接続部材１３の第２素子側接続体１３ａとの間に注入したモールド剤の固化物であり、２つのノイズ低減素子１１と第１素子側接続体１２ａとの接続部分及び２つのノイズ低減素子１１と第２素子側接続体１３ａとの接続部分についても覆っている。
【００２２】
第１回路接続部材１２と第２回路接続部材１３は、ノイズ低減素子１１を介して互いを電気的に接続させる導電部材である。この例示の第１回路接続部材１２と第２回路接続部材１３は、各々、金属等の導電性材料で板状のバスバとして成形されている。
【００２３】
収容室２０ａにおいて、第１回路接続部材１２は、併走させた第１電線ＷＥ１及び第２電線ＷＥ２の軸線方向と配列方向とに対する直交方向で第１電線ＷＥ１に並べて配置されている。また、収容室２０ａにおいて、第２回路接続部材１３は、併走させた第１電線ＷＥ１及び第２電線ＷＥ２の配列方向で第１回路接続部材１２に対して間を空けて並べて配置されると共に、その第１電線ＷＥ１及び第２電線ＷＥ２の軸線方向と配列方向とに対する直交方向で第２電線ＷＥ２に並べて配置されている。以下において単に「軸線方向」と記した場合、それは、第１電線ＷＥ１及び第２電線ＷＥ２の軸線方向のことを示している。また、以下において単に「配列方向」と記した場合、それは、第１電線ＷＥ１及び第２電線ＷＥ２の配列方向並びに第１回路接続部材１２及び第２回路接続部材１３の配列方向のことを示している。また、以下においては、第１電線ＷＥ１及び第２電線ＷＥ２の軸線方向と配列方向とに対する直交方向のことを「積層方向」と称する。
【００２４】
第１回路接続部材１２は、第１素子側接続体１２ａと第１電線側接続体１２ｂとが軸線方向に並べて設けられたものである（図２から図７）。この例示の第１回路接続部材１２は、軸線方向で第１素子側接続体１２ａに連設された第１設置壁体１２ｃを有しており（図２から図７）、その第１設置壁体１２ｃを介して筐体２０に固定する。第１電線側接続体１２ｂは、その第１設置壁体１２ｃに形成する。
【００２５】
具体的に、第１素子側接続体１２ａは、ノイズ低減素子１１の第１素子接続体に対して物理的且つ電気的に接続される部位である。この第１素子側接続体１２ａは、積層方向で第１電線ＷＥ１に対して間を空けて並べて配置される。一方、第１電線側接続体１２ｂは、積層方向で第１電線ＷＥ１の中間接続部ＷＥａ１に対して間接的又は直接的に電気接続される部位である。よって、この第１電線側接続体１２ｂは、積層方向で第１電線ＷＥ１の中間接続部ＷＥａ１に対して間を空けて並べて又は接触状態で並べて配置される。この第１電線側接続体１２ｂは、積層方向での弾性域内の撓みが可能な形状に形成する。
【００２６】
この例示の第１素子側接続体１２ａは、一対の対向配置された２つの辺部を２組有する矩形の平板状に形成されている。この例示の第１素子側接続体１２ａは、積層方向における第１電線ＷＥ１とは逆側の平面にノイズ低減素子１１の第１素子接続体を物理的且つ電気的に接続させる（図３から図６）。その接続形態としては、ノイズ低減素子１１の第１素子接続体の形態に応じて、例えば溶着や半田付け等が適用される。
【００２７】
この例示の第１回路接続部材１２においては、第１素子側接続体１２ａにおける第１組の対向配置された２つの辺部の内の一方に、第１設置壁体１２ｃを連接させている。この例示の第１設置壁体１２ｃは、矩形の平板状に形成して、第１素子側接続体１２ａと同一の平面上に配置している（図３から図７）。
【００２８】
この例示の第１電線側接続体１２ｂは、第１設置壁体１２ｃにおける第１素子側接続体１２ａ側を固定端とする片持ち形状で、自由端側が第１設置壁体１２ｃに対して積層方向で第１電線ＷＥ１の中間接続部ＷＥａ１側にオフセットされるように形成する（図３から図６）。この第１電線側接続体１２ｂにおいては、その自由端に、第１電線ＷＥ１の中間接続部ＷＥａ１に対して間接的又は直接的に電気接続させる接点部１２ｂ１を設ける（図５から図７）。この例示の第１電線側接続体１２ｂにおいては、接点部１２ｂ１を矩形の平板状に形成し、配列方向で間を空けて並べて配置された２つの矩形の梁部１２ｂ２で接点部１２ｂ１と固定端側とを連結している（図５から図７）。第１電線側接続体１２ｂにおいては、配列方向でそれぞれの梁部１２ｂ２の間に第１設置壁体１２ｃが配置されている。
【００２９】
ここでは、接点部１２ｂ１と第１電線ＷＥ１の中間接続部ＷＥａ１とを間接的に電気接続させる。そこで、第１電線ＷＥ１の中間接続部ＷＥａ１には、物理的且つ電気的に接続された第１電線接続部材３１を設けている（図１から図６）。この例示の第１電線接続部材３１は、金属等の導電性材料で成形されている。例えば、この第１電線接続部材３１は、矩形の金属板を第１電線ＷＥ１の中間接続部ＷＥａ１に対して巻き付けながら加締めていくことによって、その中間接続部ＷＥａ１に対して物理的且つ電気的に接続された筒状部材となる。この例示の第１電線接続部材３１は、円筒状に成形している（図１から図６）。
【００３０】
第２回路接続部材１３は、第２素子側接続体１３ａと第２電線側接続体１３ｂとが軸線方向に並べて設けられたものである（図２から図６）。この例示の第２回路接続部材１３は、軸線方向で第２素子側接続体１３ａに連設された第２設置壁体１３ｃを有しており（図２から図６）、その第２設置壁体１３ｃを介して筐体２０に固定する。第２電線側接続体１３ｂは、その第２設置壁体１３ｃに形成する。
【００３１】
具体的に、第２素子側接続体１３ａは、ノイズ低減素子１１の第２素子接続体に対して物理的且つ電気的に接続される部位である。この第２素子側接続体１３ａは、積層方向で第２電線ＷＥ２に対して間を空けて並べて配置される。一方、第２電線側接続体１３ｂは、積層方向で第２電線ＷＥ２の中間接続部ＷＥａ２に対して間接的又は直接的に電気接続される部位である。よって、この第２電線側接続体１３ｂは、積層方向で第２電線ＷＥ２の中間接続部ＷＥａ２に対して間を空けて並べて又は接触状態で並べて配置される。この第２電線側接続体１３ｂは、積層方向での弾性域内の撓みが可能な形状に形成する。
【００３２】
この例示の第２素子側接続体１３ａは、一対の対向配置された２つの辺部を２組有する矩形の平板状に形成されている。この例示の第２素子側接続体１３ａは、積層方向における第２電線ＷＥ２とは逆側の平面にノイズ低減素子１１の第２素子接続体を物理的且つ電気的に接続させる（図３から図６）。その接続形態としては、ノイズ低減素子１１の第２素子接続体の形態に応じて、例えば溶着や半田付け等が適用される。
【００３３】
この例示の第２回路接続部材１３においては、第２素子側接続体１３ａにおける第１組の対向配置された２つの辺部の内の一方に、第２設置壁体１３ｃを連接させている。この例示の第２設置壁体１３ｃは、矩形の平板状に形成して、第２素子側接続体１３ａと同一の平面上に配置している（図３から図７）。
【００３４】
この例示の第２電線側接続体１３ｂは、第２設置壁体１３ｃにおける第２素子側接続体１３ａ側を固定端とする片持ち形状で、自由端側が第２設置壁体１３ｃに対して積層方向で第２電線ＷＥ２の中間接続部ＷＥａ２側にオフセットされるように形成する（図３から図６）。この第２電線側接続体１３ｂにおいては、その自由端に、第２電線ＷＥ２の中間接続部ＷＥａ２に対して間接的又は直接的に電気接続させる接点部１３ｂ１を設ける（図５から図７）。この例示の第２電線側接続体１３ｂにおいては、接点部１３ｂ１を矩形の平板状に形成し、配列方向で間を空けて並べて配置された２つの矩形の梁部１３ｂ２で接点部１３ｂ１と固定端側とを連結している（図５から図７）。第２電線側接続体１３ｂにおいては、配列方向でそれぞれの梁部１３ｂ２の間に第２設置壁体１３ｃが配置されている。
【００３５】
ここでは、接点部１３ｂ１と第２電線ＷＥ２の中間接続部ＷＥａ２とを間接的に電気接続させる。そこで、第２電線ＷＥ２の中間接続部ＷＥａ２には、物理的且つ電気的に接続された第２電線接続部材３２を設けている（図１から図６）。この例示の第２電線接続部材３２は、金属等の導電性材料で成形されている。例えば、この第２電線接続部材３２は、先の第１電線接続部材３１と同様のものであり、円筒状に成形している（図１から図６）。
【００３６】
この例示の第１回路接続部材１２は、第１素子側接続体１２ａにおける第１組の対向配置された２つの辺部を軸線方向で対向配置させるように収容室２０ａに収容している。そして、この例示の第２回路接続部材１３は、第２素子側接続体１３ａにおける第１組の対向配置された２つの辺部を軸線方向で対向配置させるように収容室２０ａに収容している。収容室２０ａにおいては、第１素子側接続体１２ａと第２素子側接続体１３ａとが配列方向で互いに間を空けて並べられており、また、第１電線側接続体１２ｂと第２電線側接続体１３ｂとが配列方向で互いに間を空けて並べられている。
【００３７】
ここで、第１電線ＷＥ１と第２電線ＷＥ２とが丸導体等の単線を芯線ＷＥａとして備えるものである場合、それぞれの中間接続部ＷＥａ１，ＷＥａ２は、各々の接点部１２ｂ１，１３ｂ１に対して直接的に電気接続させてもよい。つまり、この場合には、それぞれの中間接続部ＷＥａ１，ＷＥａ２に第１電線接続部材３１や第２電線接続部材３２を設けずともよい。また、第１電線ＷＥ１と第２電線ＷＥ２とが複数本の素線の集合体を芯線ＷＥａとして備えるものであったとしても、それぞれの中間接続部ＷＥａ１，ＷＥａ２における複数本の素線を熱圧着等で溶着して一纏めに固着させた場合には、それぞれの中間接続部ＷＥａ１，ＷＥａ２に第１電線接続部材３１や第２電線接続部材３２を設けずに、それぞれの中間接続部ＷＥａ１，ＷＥａ２を各々の接点部１２ｂ１，１３ｂ１に対して直接的に電気接続させてもよい。
【００３８】
筐体２０は、合成樹脂等の絶縁性材料で成形する。この筐体２０は、フィルタ回路１０と第１電線ＷＥ１と第２電線ＷＥ２とを収容する収容室２０ａを内方に有する（図１、図３、図５及び図６）。その収容室２０ａには、少なくともフィルタ回路１０と第１電線ＷＥ１の中間接続部ＷＥａ１と第２電線ＷＥ２の中間接続部ＷＥａ２とが収容される。この筐体２０においては、第１電線ＷＥ１におけるそれぞれの端部側が内方の収容室２０ａから外方へと引き出され、かつ、第２電線ＷＥ２におけるそれぞれの端部側が内方の収容室２０ａから外方へと引き出される。この筐体２０は、複数の筐体部材を互いに嵌め合わせることによって、収容室２０ａを形成する。
【００３９】
この例示の筐体２０は、収容室２０ａが設けられた第１筐体部材としての収容箱２１と、第２筐体部材としてのカバー２２と、を備える（図１から図６）。
【００４０】
収容箱２１は、主壁体２１ａと、この主壁体２１ａの周縁部から立設させた複数の周壁体２１ｂ−２１ｅと、を有する（図２）。
【００４１】
主壁体２１ａは、軸線方向に並べて配置された矩形の平板状の第１主壁体２１ａ１と矩形の平板状の第２主壁体２１ａ２とに大別されており、その第１主壁体２１ａ１と第２主壁体２１ａ２とを積層方向で互いにオフセットさせている（図４から図６及び図８）。ここでは、収容室２０ａにて第２主壁体２１ａ２を底壁とする容積が、収容室２０ａにて第１主壁体２１ａ１を底壁とする容積よりも大きくなるようにオフセットさせる。主壁体２１ａにおいては、その第１主壁体２１ａ１と第２主壁体２１ａ２とを矩形の平板状の連結壁体２１ａ３で繋いでいる（図５、図６及び図８）。その連結壁体２１ａ３は、直交方向に対する直交平面を有している。
【００４２】
ここで、この筐体２０は、ノイズ低減素子１１が収容される素子収容室２０ｂを内方に有する（図３、図５及び図６）。その素子収容室２０ｂは、収容室２０ａの中に形成する。ここでは、第１主壁体２１ａ１に対する第２主壁体２１ａ２のオフセットに伴い形成された部屋を素子収容室２０ｂとして利用する。
【００４３】
第１主壁体２１ａ１は、第１電線側接続体１２ｂの第１設置壁体１２ｃと第２電線側接続体１３ｂの第２設置壁体１３ｃとが設置される被設置壁体として利用する。例えば、収容室２０ａの中では、その第１設置壁体１２ｃと第２設置壁体１３ｃとを第１主壁体２１ａ１の内壁面に載せ置き、その内壁面に第１設置壁体１２ｃと第２設置壁体１３ｃとを各々の係合機構（図示略）で固定する。その係合機構とは、例えば、第１主壁体２１ａ１の内壁面の複数箇所に設けた爪部等の係止部で第１設置壁体１２ｃや第２設置壁体１３ｃを保持するロック機構のことである。ここでは、第１電線側接続体１２ｂの第１設置壁体１２ｃと第２電線側接続体１３ｂの第２設置壁体１３ｃとに対して収容箱２１を一体成形させることによって、第１主壁体２１ａ１に第１設置壁体１２ｃと第２設置壁体１３ｃとを設置してもよい。
【００４４】
この例示の収容箱２１は、主壁体２１ａから各々同じ向きに垂設させた平板状の第１から第４の周壁体２１ｂ−２１ｅと、を有している（図２）。この収容箱２１では、第１周壁体２１ｂと第２周壁体２１ｃとが対向配置され、第３周壁体２１ｄと第４周壁体２１ｅとが対向配置されている。この収容箱２１においては、主壁体２１ａと第１から第４の周壁体２１ｂ−２１ｅとで囲まれた空間が収容室２０ａとなる。そして、この収容箱２１では、第２主壁体２１ａ２と第１周壁体２１ｂの一部と第３周壁体２１ｄの一部と第４周壁体２１ｅの一部と連結壁体２１ａ３とで囲まれた空間が素子収容室２０ｂとなる。
【００４５】
この例示の収容箱２１では、素子収容室２０ｂに収容された素子収容室２０ｂが、第１電線側接続体１２ｂの第１素子側接続体１２ａと第２電線側接続体１３ｂの第２素子側接続体１３ａとで覆われる。このため、この例示では、フィルタ回路１０を収容室２０ａへ収容する前に、第１素子側接続体１２ａと第２素子側接続体１３ａとにノイズ低減素子１１を予め接続しておく。
【００４６】
この収容箱２１は、第１から第４の周壁体２１ｂ−２１ｅの縁部から成る矩形の開口２１ｆを有している（図３）。
【００４７】
カバー２２は、その収容室２０ａの開口２１ｆを塞ぐべく用意されている。このカバー２２は、収容箱２１との組付けが完了している状態で開口２１ｆを塞ぐ閉塞壁体２２ａを有する（図３及び図４）。また、このカバー２２は、その閉塞壁体２２ａの周縁部から立設させた複数の周壁体２２ｂ−２２ｅを有する（図４）。この例示のカバー２２は、矩形の平板状の閉塞壁体２２ａと、この閉塞壁体２２ａの４つの辺部から各々同じ向きに垂設させた平板状の第１から第４の周壁体２２ｂ−２２ｅと、を有している。このカバー２２では、第１周壁体２２ｂと第２周壁体２２ｃとが対向配置され、第３周壁体２２ｄと第４周壁体２２ｅとが対向配置されている。
【００４８】
この例示の筐体２０においては、収容箱２１とカバー２２との組付けが完了しているときに、それぞれの第１周壁体２１ｂ，２２ｂ同士を対向配置させ、かつ、それぞれの第２周壁体２１ｃ，２２ｃ同士を対向配置させ、かつ、それぞれの第３周壁体２１ｄ，２２ｄ同士を対向配置させ、かつ、それぞれの第４周壁体２１ｅ，２２ｅ同士を対向配置させる。
【００４９】
この筐体２０においては、対向配置状態の第１周壁体２１ｂ，２２ｂと対向配置状態の第２周壁体２１ｃ，２２ｃから第１電線ＷＥ１と第２電線ＷＥ２とを外方に引き出させる。そこで、それぞれの第１周壁体２１ｂ，２２ｂには、各々、第１電線ＷＥ１の一方の端部側を外方に引き出させる第１引出口２１ｂ１，２２ｂ１と、第２電線ＷＥ２の一方の端部側を外方に引き出させる第２引出口２１ｂ２，２２ｂ２と、が形成されている（図３及び図４）。それぞれの第１周壁体２１ｂ，２２ｂにおいては、第１引出口２１ｂ１，２２ｂ１同士を対向配置させ、かつ、第２引出口２１ｂ２，２２ｂ２同士を対向配置させる。また、それぞれの第２周壁体２１ｃ，２２ｃには、各々、第１電線ＷＥ１の他方の端部側を外方に引き出させる第３引出口２１ｃ１，２２ｃ１と、第２電線ＷＥ２の他方の端部側を外方に引き出させる第４引出口２１ｃ２，２２ｃ２と、が形成されている（図３及び図４）。それぞれの第２周壁体２１ｃ，２２ｃにおいては、第３引出口２１ｃ１，２２ｃ１同士を対向配置させ、かつ、第４引出口２１ｃ２，２２ｃ２同士を対向配置させる。
【００５０】
この筐体２０においては、第１電線ＷＥ１の中間接続部ＷＥａ１と第２電線ＷＥ２の中間接続部ＷＥａ２とが開口２１ｆから収容室２０ａに収容される。その第１電線ＷＥ１と第２電線ＷＥ２の収容に際して、収容箱２１においては、第１電線ＷＥ１が第１引出口２１ｂ１と第３引出口２１ｃ１とに挿入され、第２電線ＷＥ２が第２引出口２１ｂ２と第４引出口２１ｃ２とに挿入される。筐体２０においては、開口２１ｆを塞ぎ、かつ、第１電線ＷＥ１を第１引出口２２ｂ１と第３引出口２２ｃ１とに挿入させると共に、第２電線ＷＥ２を第２引出口２２ｂ２と第４引出口２２ｃ２とに挿入させるように、カバー２２を収容箱２１に組み付ける。例えば、このノイズフィルタ１は、第１電線ＷＥ１及び第２電線ＷＥ２と共に幹線ＷＴに粘着テープ（図示略）等で固定して、その幹線ＷＴに抱きかかえさせる。これにより、第１電線ＷＥ１と第２電線ＷＥ２へのノイズフィルタ１の取り付けが完了する。
【００５１】
ここで、この筐体２０は、車体等の固定対象物（図示略）に固定する。そこで、この筐体２０は、固定対象物との間で互いに係合し合う固定機構の係合体２３を積層方向に位置する外壁面から突出させて設けている（図２及び図４から図６）。その固定機構とは、ノイズフィルタ１と固定対象物とを互いに固定させる機構である。この固定機構は、ノイズフィルタ１の固定対象物に対する相対移動を禁止させることによって、ノイズフィルタ１の周辺部品との接触を抑えたり、音振性能の向上を図ったりするために設けている。係合体２３は、固定対象物の相手方係合体（図示略）に係合させることによって、固定対象物に筐体２０を固定する。固定機構としては、その係合体２３と相手方係合体とが互いの爪部等で係合し合うロック機構などが考えられる。この例示では、収容箱２１の第１主壁体２１ａ１の外壁面に係合体２３を設けている。よって、第１主壁体２１ａ１は、第１電線側接続体１２ｂの第１設置壁体１２ｃと第２電線側接続体１３ｂの第２設置壁体１３ｃとが設置される被設置壁体としてだけでなく、ノイズフィルタ１を固定対象物に固定するための固定壁体としても利用される。この収容箱２１においては、素子収容室２０ｂと係合体２３とを軸線方向で並べて配置している。
【００５２】
ところで、この筐体２０においては、収容箱２１の主壁体２１ａとカバー２２の閉塞壁体２２ａとが積層方向で対向配置されている。そして、この筐体２０においては、収容箱２１とカバー２２の組付けが完了している状態で、カバー２２の閉塞壁体２２ａが積層方向で第１電線ＷＥ１の中間接続部ＷＥａ１と第２電線ＷＥ２の中間接続部ＷＥａ２とに対して対向配置されている。そこで、この例示のカバー２２の閉塞壁体２２ａの内壁面には、第１回路接続部材１２の第１電線側接続体１２ｂとの間で第１電線ＷＥ１の中間接続部ＷＥａ１を間接的に挟持する第１挟持体２４と、第２回路接続部材１３の第２電線側接続体１３ｂとの間で第２電線ＷＥ２の中間接続部ＷＥａ２を間接的に挟持する第２挟持体２５と、を少なくとも１つずつ設けている（図４から図６及び図９）。
【００５３】
第１挟持体２４は、第１電線側接続体１２ｂの接点部１２ｂ１との間で第１電線接続部材３１を挟持することによって、その接点部１２ｂ１との間で第１電線ＷＥ１の中間接続部ＷＥａ１を間接的に挟持する。この第１挟持体２４は、カバー２２の閉塞壁体２２ａの内壁面から自由端側を浮き上がらせた片持ちの片体状の片部２４ａと、この片部２４ａの自由端に設け、第１電線接続部材３１に接触させて加圧する加圧部２４ｂと、を有する（図５、図６及び図９）。その片部２４ａは、弾性を有するものであってもよく、弾性を有しないものであってもよい。また、加圧部２４ｂは、電線挟持方向で接点部１２ｂ１に対向配置させる。ここでは、加圧部２４ｂを矩形の片体状に形成し、加圧部２４ｂと接点部１２ｂ１のそれぞれの平面の間で第１電線接続部材３１を挟持させる。
【００５４】
この例示では、第１挟持体２４を２つ設けている。それぞれの第１挟持体２４は、互いの加圧部２４ｂが軸線方向で対向配置されるように、カバー２２の閉塞壁体２２ａの内壁面に互いに逆向きに設けている。そして、それぞれの第１挟持体２４には、加圧部２４ｂから第１電線ＷＥ１の中間接続部ＷＥａ１側に膨出又は突出させた係止突起部２４ｃを設けている（図５、図６及び図９）。それぞれの第１挟持体２４の係止突起部２４ｃは、軸線方向で対向配置させる。それぞれの第１挟持体２４においては、一方の係止突起部２４ｃで第１電線接続部材３１における筒軸方向（軸線方向）の一端を当該筒軸方向で係止させ、かつ、他方の係止突起部２４ｃで第１電線接続部材３１における筒軸方向（軸線方向）の他端を当該筒軸方向で係止させるように、それぞれの係止突起部２４ｃを形成する。このように、それぞれの第１挟持体２４は、第１電線側接続体１２ｂの接点部１２ｂ１との間で第１電線接続部材３１を挟持し、かつ、それぞれの係止突起部２４ｃで第１電線接続部材３１の軸線方向の動きを係止するので、接点部１２ｂ１と第１電線接続部材３１との間の電気的な接続状態を保たせることができる。よって、このノイズフィルタは、第１電線ＷＥ１とフィルタ回路１０との間の通電品質を向上させることができる。
【００５５】
第２挟持体２５は、第２電線側接続体１３ｂの接点部１３ｂ１との間で第２電線接続部材３２を挟持することによって、その接点部１３ｂ１との間で第２電線ＷＥ２の中間接続部ＷＥａ２を間接的に挟持する。この第２挟持体２５は、カバー２２の閉塞壁体２２ａの内壁面から自由端側を浮き上がらせた片持ちの片体状の片部２５ａと、この片部２５ａの自由端に設け、第２電線接続部材３２に接触させて加圧する加圧部２５ｂと、を有する（図５、図６及び図９）。その片部２５ａは、弾性を有するものであってもよく、弾性を有しないものであってもよい。また、加圧部２５ｂは、電線挟持方向で接点部１３ｂ１に対向配置させる。ここでは、加圧部２５ｂを矩形の片体状に形成し、加圧部２５ｂと接点部１３ｂ１のそれぞれの平面の間で第２電線接続部材３２を挟持させる。
【００５６】
この例示では、第２挟持体２５を２つ設けている。それぞれの第２挟持体２５は、互いの加圧部２５ｂが軸線方向で対向配置されるように、カバー２２の閉塞壁体２２ａの内壁面に互いに逆向きに設けている。そして、それぞれの第２挟持体２５には、加圧部２５ｂから第２電線ＷＥ２の中間接続部ＷＥａ２側に膨出又は突出させた係止突起部２５ｃを設けている（図５、図６及び図９）。それぞれの第２挟持体２５の係止突起部２５ｃは、軸線方向で対向配置させる。それぞれの第２挟持体２５においては、一方の係止突起部２５ｃで第２電線接続部材３２における筒軸方向（軸線方向）の一端を当該筒軸方向で係止させ、かつ、他方の係止突起部２５ｃで第２電線接続部材３２における筒軸方向（軸線方向）の他端を当該筒軸方向で係止させるように、それぞれの係止突起部２５ｃを形成する。このように、それぞれの第２挟持体２５は、第２電線側接続体１３ｂの接点部１３ｂ１との間で第２電線接続部材３２を挟持し、かつ、それぞれの係止突起部２５ｃで第２電線接続部材３２の軸線方向の動きを係止するので、接点部１３ｂ１と第２電線接続部材３２との間の電気的な接続状態を保たせることができる。よって、このノイズフィルタは、第２電線ＷＥ２とフィルタ回路１０との間の通電品質を向上させることができる。
【００５７】
ここで、カバー２２の閉塞壁体２２ａの内壁面には、先に示したようなそれぞれの中間接続部ＷＥａ１，ＷＥａ２に第１電線接続部材３１や第２電線接続部材３２を設けない場合でも、その第１挟持体２４と第２挟持体２５とを設けることが望ましい。つまり、この場合でも、カバー２２の閉塞壁体２２ａの内壁面には、第１回路接続部材１２の第１電線側接続体１２ｂとの間で第１電線ＷＥ１の中間接続部ＷＥａ１を直接的に挟持する第１挟持体２４と、第２回路接続部材１３の第２電線側接続体１３ｂとの間で第２電線ＷＥ２の中間接続部ＷＥａ２を直接的に挟持する第２挟持体２５と、を少なくとも１つずつ設けることが望ましい。但し、この場合には、係止突起部２４ｃに中間接続部ＷＥａ１を避ける切欠きを設け、かつ、係止突起部２５ｃに中間接続部ＷＥａ２を避ける切欠きを設ける。
【００５８】
以上示した本実施形態のノイズフィルタ１は、中間電線の影響を受けることのないものとなっている。つまり、従来のノイズフィルタは、前述したように、ノイズ低減対象電線とフィルタ回路との間に中間電線を介在させている。その中間電線は、ノイズフィルタへの組付け作業性や車両への配索経路等を考慮して、長さに関する許容公差が大きく取られている。このため、従来のノイズフィルタは、その長さに応じた中間電線のノイズ成分をも考慮に入れて、フィルタ回路特性（共振点やノイズ低減性能等）の調整を行う必要がある。しかしながら、本実施形態のノイズフィルタ１においては、ワイヤハーネスＷＨの幹線ＷＴに束ねられている第１電線ＷＥ１の中間接続部ＷＥａ１と第２電線ＷＥ２の中間接続部ＷＥａ２との間にフィルタ回路１０を電気的に介在させることで、そのフィルタ回路１０をそれぞれの中間接続部ＷＥａ１，ＷＥａ２に対して電気的に接続している。よって、このノイズフィルタ１は、従来のような幹線からの分岐電線（中間電線）の影響を考慮に入れたフィルタ回路特性の調整が不要になる。即ち、このノイズフィルタ１は、中間電線の影響を受けることのないものとなっている。
【００５９】
更に、本実施形態のノイズフィルタ１においては、併走させた第１電線ＷＥ１及び第２電線ＷＥ２とフィルタ回路１０とが積層方向で並べて配置されるので、第１電線ＷＥ１及び第２電線ＷＥ２の配列方向の間隔並びに第１回路接続部材１２と第２回路接続部材１３の配列方向の間隔を狭めることができる。よって、本実施形態のノイズフィルタ１は、その配列方向の体格の小型化を図ることができる。
【００６０】
一方、このノイズフィルタ１においては、第１電線ＷＥ１及び第２電線ＷＥ２とフィルタ回路１０とを積層方向に並べているので、その積層方向の体格の大型化を招いてしまう可能性がある。しかしながら、本実施形態のノイズフィルタ１においては、筐体２０にて素子収容室２０ｂと係合体２３とを軸線方向で並べて配置しており、係合体２３が設けられた第１主壁体２１ａ１に第１電線側接続体１２ｂの第１設置壁体１２ｃと第２電線側接続体１３ｂの第２設置壁体１３ｃとを設置し、かつ、素子収容室２０ｂにノイズ低減素子１１を収容することによって、積層方向での体格の大型化を抑えることができる。
【００６１】
また更に、本実施形態のノイズフィルタ１は、一方の端部を接地させる第２電線ＷＥ２の中間接続部ＷＥａ２に対してフィルタ回路１０を電気的に接続させるので、例えば、幹線ＷＴの周囲に接地可能な導電体が存在しておらずとも、また、自らの設置対象物が合成樹脂等の絶縁性材料で成形されていたとしても、容易にアースを取ることができる。つまり、従来のノイズフィルタは、導電性の設置対象物に取り付けた際に当該設置対象物にアース端子を接続することによって、その設置対象物を介してアースを取っている。よって、従来のノイズフィルタにおいては、アース端子と設置対象物との固定作業を容易にするために、アース端子を筐体から食み出させている。しかしながら、このノイズフィルタ１は、そのようなアース端子を備えずとも、アースを取ることができる。従って、このノイズフィルタ１は、体格の小型化や軽量化を図ることができる。
【００６２】
また更に、本実施形態のノイズフィルタ１は、第１回路接続部材１２の第１電線側接続体１２ｂと第１挟持体２４とで第１電線ＷＥ１の中間接続部ＷＥａ１を間接的又は直接的に挟み込み、かつ、第２回路接続部材１３の第２電線側接続体１３ｂと第２挟持体２５とで第２電線ＷＥ２の中間接続部ＷＥａ２を間接的又は直接的に挟み込んでいる。よって、このノイズフィルタ１は、電気的な接続構造が従来のような雌雄の端子部の嵌合構造となっているものと比較して、フィルタ回路１０と第１電線ＷＥ１及び第２電線ＷＥ２との間の電気的な接続構造の小型化が可能になる。従って、このノイズフィルタ１は、この点からも体格の小型化を図ることができる。また、そのような従来の接続構造は形状如何で原価の高騰を招く虞があるが、このノイズフィルタ１は、そのような簡便な接続構造であるが故に、原価の高騰を抑えることができる。
【００６３】
また更に、本実施形態のノイズフィルタ１は、第１回路接続部材１２の第１電線側接続体１２ｂと第２回路接続部材１３の第２電線側接続体１３ｂとに弾性を持たせることによって、それぞれの構成部品の寸法ばらつきを吸収し、それぞれの中間接続部ＷＥａ１，ＷＥａ２に安定した接触荷重を作用させることができる。また、このノイズフィルタ１は、第１挟持体２４の片部２４ａと第２挟持体２５の片部２５ａとに可撓性を持たせることによって、第１電線側接続体１２ｂと第２電線側接続体１３ｂの弾性と相俟って、それぞれの構成部品の寸法ばらつきがより大きくなったとしても、その寸法ばらつきを吸収し、それぞれの中間接続部ＷＥａ１，ＷＥａ２に安定した接触荷重を作用させることができる。このような特性によって、このノイズフィルタ１は、第１電線ＷＥ１及び第２電線ＷＥ２とフィルタ回路１０との間の通電品質の向上を図ることができる。
【００６４】
また更に、このノイズフィルタ１は、第１電線側接続体１２ｂと第２電線側接続体１３ｂに弾性を持たせることによって、その弾性域の範囲内で、様々な外径の電線（第１電線ＷＥ１、第２電線ＷＥ２）に対して電気的な接続を図ることができる。また、このノイズフィルタ１は、第１挟持体２４の片部２４ａと第２挟持体２５の片部２５ａとに可撓性を持たせた場合、これらも含めた弾性域の範囲内で、様々な外径の電線（第１電線ＷＥ１、第２電線ＷＥ２）に対して電気的な接続を図ることができる。つまり、このノイズフィルタ１は、様々な外径の電線（第１電線ＷＥ１、第２電線ＷＥ２）への対応が可能になり、汎用性を高めることができる。
【００６５】
また、本実施形態のワイヤハーネスＷＨは、そのようなノイズフィルタ１を具備するものであり、このノイズフィルタ１が得られる効果を奏することができる。
【００６６】
［変形例］
図１０から図１５の符号２は、本変形例のノイズフィルタを示す。また、その各図のＷＨは、本変形例のワイヤハーネスを示す。このノイズフィルタ２とワイヤハーネスＷＨは、前述した実施形態のノイズフィルタ１において、フィルタ回路１０を下記のフィルタ回路１１０に置き換えたものである。
【００６７】
本変形例のフィルタ回路１１０は、実施形態のフィルタ回路１０と同様に少なくとも１つのノイズ低減素子１１を備える一方、そのフィルタ回路１０において、第１回路接続部材１２と第２回路接続部材１３とを各々下記の第１回路接続部材１１２と第２回路接続部材１１３とに置き換えたものである。よって、このフィルタ回路１１０は、軸線方向に並べて配置された２つのノイズ低減素子１１を備えている。また、この例示では、第１電線ＷＥ１の中間接続部ＷＥａ１に第１電線接続部材３１を設け、第２電線ＷＥ２の中間接続部ＷＥａ２に第２電線接続部材３２を設けている。
【００６８】
第１回路接続部材１１２及び第２回路接続部材１１３は、第１回路接続部材１２及び第２回路接続部材１３と同じように、ノイズ低減素子１１を介して互いを電気的に接続させる導電部材であり、金属等の導電性材料で板状のバスバとして成形されている。
【００６９】
第１回路接続部材１１２は、第１回路接続部材１２と同じように、軸線方向に並べて設けられた第１素子側接続体１１２ａ及び第１電線側接続体１１２ｂと、軸線方向で第１素子側接続体１１２ａに連設され、かつ、第１電線側接続体１１２ｂが形成された第１設置壁体１１２ｃと、を有している（図１０から図１５）。第１電線側接続体１１２ｂには、第１電線側接続体１２ｂと同じように、接点部１１２ｂ１と２つの梁部１１２ｂ２とが形成されている（図１３から図１５）。この第１回路接続部材１１２において、第１素子側接続体１１２ａ、第１電線側接続体１１２ｂ及び第１設置壁体１１２ｃは、各々、実施形態の第１素子側接続体１２ａ、第１電線側接続体１２ｂ及び第１設置壁体１２ｃと同様のものである。
【００７０】
但し、本変形例の第１素子側接続体１１２ａは、積層方向における第１電線ＷＥ１側にノイズ低減素子１１の第１素子接続体を物理的且つ電気的に接続される部位として形成する（図１０から図１５）。つまり、この第１素子側接続体１１２ａは、積層方向で第１設置壁体１１２ｃに対してオフセットさせて素子収容室２０ｂに収容し、積層方向における第１電線ＷＥ１側にノイズ低減素子１１の第１素子接続体を物理的且つ電気的に接続される部位として形成する。第１素子側接続体１１２ａは、例えば、素子収容室２０ｂの底壁に設置する。このため、本変形例の第１回路接続部材１１２は、第１素子側接続体１１２ａと第１設置壁体１１２ｃとを積層方向で繋ぐ連結壁体１１２ｄを有している（図１５）。
【００７１】
この例示の連結壁体１１２ｄは、配列方向及び積層方向に沿う平面を有する矩形の平板状に形成されている。この連結壁体１１２ｄは、素子収容室２０ｂの中で収容箱２１の主壁体２１ａにおける連結壁体２１ａ３に対向配置されて、その連結壁体２１ａ３で収容箱２１に対する軸線方向の動きが係止される。そこで、この連結壁体１１２ｄは、その収容箱２１に対する軸線方向の相対移動を抑えることができるように、素子収容室２０ｂの中で連結壁体２１ａ３に対向配置させる。
【００７２】
第２回路接続部材１１３は、第２回路接続部材１３と同じように、軸線方向に並べて設けられた第２素子側接続体１１３ａ及び第２電線側接続体１１３ｂと、軸線方向で第２素子側接続体１１３ａに連設され、かつ、第２電線側接続体１１３ｂが形成された第２設置壁体１１３ｃと、を有している（図１０から図１５）。第２電線側接続体１１３ｂには、第２電線側接続体１３ｂと同じように、接点部１１３ｂ１と２つの梁部１１３ｂ２とが形成されている（図１３から図１５）。この第２回路接続部材１１３において、第２素子側接続体１１３ａ、第２電線側接続体１１３ｂ及び第２設置壁体１１３ｃは、各々、実施形態の第２素子側接続体１３ａ、第２電線側接続体１３ｂ及び第２設置壁体１３ｃと同様のものである。
【００７３】
但し、本変形例の第２素子側接続体１１３ａは、第１素子側接続体１１２ａと同じように、積層方向における第２電線ＷＥ２側にノイズ低減素子１１の第２素子接続体を物理的且つ電気的に接続される部位として形成する（図１０から図１５）。つまり、この第２素子側接続体１１３ａは、積層方向で第２設置壁体１１３ｃに対してオフセットさせて素子収容室２０ｂに収容し、積層方向における第２電線ＷＥ２側にノイズ低減素子１１の第２素子接続体を物理的且つ電気的に接続される部位として形成する。第２素子側接続体１１３ａは、例えば、素子収容室２０ｂの底壁に設置する。このため、本変形例の第２回路接続部材１１３は、第２素子側接続体１１３ａと第２設置壁体１１３ｃとを積層方向で繋ぐ連結壁体１１３ｄを有している（図１５）。
【００７４】
この例示の連結壁体１１３ｄは、配列方向及び積層方向に沿う平面を有する矩形の平板状に形成されている。この連結壁体１１３ｄは、素子収容室２０ｂの中で収容箱２１の主壁体２１ａにおける連結壁体２１ａ３に対向配置されて、その連結壁体２１ａ３で収容箱２１に対する軸線方向の動きが係止される。そこで、この連結壁体１１３ｄは、その収容箱２１に対する軸線方向の相対移動を抑えることができるように、素子収容室２０ｂの中で連結壁体２１ａ３に対向配置させる。
【００７５】
以上示した本変形例のノイズフィルタ２は、実施形態のノイズフィルタ１と同様の効果を得ることができる。更に、本変形例のノイズフィルタ２は、第１回路接続部材１１２の連結壁体１１２ｄと第２回路接続部材１１３の連結壁体１１３ｄとを収容箱２１の連結壁体２１ａ３に軸線方向の相対移動を抑えるよう係止させることによって、素子収容室２０ｂの中でのフィルタ回路１１０の収容箱２１に対する軸線方向の相対移動を抑えることができる。これにより、このノイズフィルタ２は、第１電線側接続体１１２ｂと第１電線ＷＥ１の中間接続部ＷＥａ１との間の電気的な接続状態と、第２電線側接続体１１３ｂと第２電線ＷＥ２の中間接続部ＷＥａ２との間の電気的な接続状態と、を保ち続けることができる。また、本変形例のワイヤハーネスＷＨは、そのようなノイズフィルタ２を具備するものであり、このノイズフィルタ２が得られる効果を奏することができる。
【符号の説明】
【００７６】
１，２  ノイズフィルタ
１０，１１０  フィルタ回路
１１  ノイズ低減素子
１２，１１２  第１回路接続部材
１２ａ，１１２ａ  第１素子側接続体
１２ｂ，１１２ｂ  第１電線側接続体
１２ｃ，１１２ｃ  第１設置壁体
１３，１１３  第２回路接続部材
１３ａ，１１３ａ  第２素子側接続体
１３ｂ，１１３ｂ  第２電線側接続体
１３ｃ，１１３ｃ  第２設置壁体
２０  筐体
２０ａ  収容室
２０ｂ  素子収容室
２１ａ１  第１主壁体（被設置壁体）
２３  係合体
ＷＥ１  第１電線
ＷＥａ１  中間接続部
ＷＥ２  第２電線
ＷＥａ２  中間接続部
ＷＥａ  芯線
ＷＨ  ワイヤハーネス
ＷＴ  幹線
【図１】
2020061626.tif 000003
【図２】
2020061626.tif 000004
【図３】
2020061626.tif 000005
【図４】
2020061626.tif 000006
【図５】
2020061626.tif 000007
【図６】
2020061626.tif 000008
【図７】
2020061626.tif 000009
【図８】
2020061626.tif 000010
【図９】
2020061626.tif 000011
【図１０】
2020061626.tif 000012
【図１１】
2020061626.tif 000013
【図１２】
2020061626.tif 000014
【図１３】
2020061626.tif 000015
【図１４】
2020061626.tif 000016
【図１５】
2020061626.tif 000017